(57)【要約】      （修正有）【課題】会員ＩＤやパスワードを忘れてしまった場合でも、煩雑な手続きを経ることなくログインを可能にする。【解決手段】ユーザを撮影した撮影画像またはその編集画像から特徴量を抽出する特徴量抽出部と、抽出した特徴量と、予め登録された画像認証情報とが合致するか否かを判定した結果を認証の結果として取得する認証結果受信部と、を備える。【選択図】図１
2015184731.tif 000002
【特許請求の範囲】
【請求項１】
被写体を撮影した撮影画像またはその編集画像である画像データを、画像データを管理する画像管理サービスを提供するサーバに送信する写真撮影編集装置であって、
ユーザを被写体として撮影した撮影画像またはその編集画像から、上記ユーザが上記画像管理サービスの会員であるか否かを認証するための特徴量を抽出する特徴量抽出手段と、
上記特徴量抽出手段が抽出した上記特徴量と、予め登録された上記認証に用いられる画像認証情報と、が合致するか否かを判定した結果を、上記認証の結果として取得する認証結果取得手段と、を備えることを特徴とする写真撮影編集装置。
【請求項２】
上記特徴量抽出手段が抽出した上記特徴量を上記サーバに送信することにより、上記サーバに上記認証を要求する認証要求手段を備え、
上記認証結果取得手段は、上記特徴量と上記画像認証情報とが合致するか否かを判定した結果を上記サーバから受信することを特徴とする請求項１に記載の写真撮影編集装置。
【請求項３】
上記特徴量と上記画像認証情報とが合致するか否かを判定し、その判定結果を、上記認証の結果として上記認証結果取得手段に送信する認証手段を備え、
上記認証結果取得手段は、上記認証手段から上記判定結果を受信することを特徴とする請求項１に記載の写真撮影編集装置。
【請求項４】
上記認証結果取得手段が取得した上記認証の結果が認証の成功を示すものである場合に、上記画像管理サービスに係る上記ユーザの会員情報を取得する会員情報取得手段を備えていることを特徴とする請求項１に記載の写真撮影編集装置。
【請求項５】
上記特徴量は、
上記ユーザを被写体として撮影した撮影画像から抽出される、上記ユーザの身体の一部の特徴、および上記ユーザの姿勢の特徴に係る特徴量であり、
上記画像認証情報は、
上記ユーザの身体の一部の特徴、および上記ユーザの姿勢の特徴に係る情報であることを特徴とする請求項１から４までのいずれか１項に記載の写真撮影編集装置。
【請求項６】
上記特徴量は、
上記ユーザを被写体として撮影した撮影画像から抽出される、上記ユーザの身体の一部の特徴、および上記ユーザの動きの特徴に係る特徴量であり、
上記画像認証情報は、
上記ユーザの身体の一部の特徴、および上記ユーザの動きの特徴に係る情報であることを特徴とする請求項１から４までのいずれか１項に記載の写真撮影編集装置。
【請求項７】
上記特徴量は、
上記ユーザを被写体として撮影した撮影画像を編集した編集画像から抽出される、上記ユーザの身体の一部の特徴、および上記編集画像における落書きの特徴に係る特徴量であり、
上記画像認証情報は、
上記ユーザの身体の一部の特徴、および落書きの特徴に係る情報であることを特徴とする請求項１から４までのいずれか１項に記載の写真撮影編集装置。
【請求項８】
被写体を撮影した撮影画像またはその編集画像である画像データを、画像データを管理する画像管理サービスを提供するサーバに送信する写真撮影編集装置の制御方法であって、
ユーザを被写体として撮影した撮影画像またはその編集画像から、上記ユーザが上記画像管理サービスの会員であるか否かを認証するための特徴量を抽出する特徴量抽出ステップと、
上記特徴量抽出ステップで抽出した上記特徴量と、予め登録された上記認証に用いられる画像認証情報と、が合致するか否かを判定した結果を、上記認証の結果として取得する認証結果取得ステップと、を含むことを特徴とする制御方法。
【請求項９】
請求項１から７のいずれか１項に記載の写真撮影編集装置としてコンピュータを機能させるための制御プログラムであって、コンピュータを上記各手段として機能させるための制御プログラム。
【請求項１０】
請求項８に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する画像管理サービスに係る写真撮影編集装置などに関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。
【０００３】
このようなサービスに係るサイト（画像提供サイト）にログインする場合、他の様々なサイトと同様に、会員ＩＤやパスワードの入力が必要となる。しかしながら、長期間、サイトを利用しなかった場合、ユーザは会員ＩＤやパスワードを忘れてしまう可能性がある。この場合、ユーザは、上記会員ＩＤやパスワードで管理されているサイトのユーザアカウントを利用できなくなってしまう可能性があるという問題点がある。
【０００４】
特許文献１には、ユーザがパスワードを忘れた場合に、パスワードを初期パスワードに戻す技術が開示されている。ここで、初期パスワードとは、サイトの管理者からユーザに最初に割り当てられるパスワードであり、メールや書面などでユーザに通達されるものである。
【先行技術文献】
【特許文献】
【０００５】
【特許文献１】特開２００４−３２６７６３号公報（２００４年１１月１８日公開）
【発明の概要】
【発明が解決しようとする課題】
【０００６】
しかしながら、上記従来技術では、会員ＩＤやパスワードを忘れてしまった場合、再度サイトにログインするためには、煩雑な手続きを経る必要があるという問題点がある。
【０００７】
例えば、上記特許文献１に記載の技術では、パスワードを忘れてしまった場合、パスワードが初期パスワードに戻されてしまう。初期パスワードは、文字数も多く、ランダムに文字が並んでいるため、ユーザが記憶しておくことは困難である。このため、通常は、初期パスワードの通達を探し出し、その通達を見ながら入力を行うことになる。また、仮に、初期パスワードの通達を見つけて、サイトに再度アクセスすることができたとしても、ユーザは改めてパスワードを再発行するなど、新たにサイトにログインするために煩雑な手続きが必要になる。
【０００８】
本発明は、上記の問題点に鑑みて為されたものであって、その目的は、会員ＩＤやパスワードを忘れてしまった場合でも、煩雑な手続きを経ることなくログインが可能になる写真撮影編集装置などを提供することにある。
【課題を解決するための手段】
【０００９】
上記の課題を解決するために、本発明の写真撮影編集装置（写真シール作成装置１）は、被写体を撮影した撮影画像またはその編集画像である画像データを、画像データを管理する画像管理サービスを提供するサーバ（管理サーバ４）に送信する写真撮影編集装置であって、ユーザを被写体として撮影した撮影画像またはその編集画像から、上記ユーザが上記画像管理サービスの会員であるか否かを認証するための特徴量を抽出する特徴量抽出手段（特徴量抽出部３１６Ａ）と、上記特徴量抽出手段が抽出した上記特徴量と、予め登録された上記認証に用いられる画像認証情報と、が合致するか否かを判定した結果を、上記認証の結果として取得する認証結果取得手段（認証結果受信部３１６Ｃ）と、を備えることを特徴とする。
【００１０】
上記の課題を解決するために、本発明の制御方法は、被写体を撮影した撮影画像またはその編集画像である画像データを、画像データを管理する画像管理サービスを提供するサーバに送信する写真撮影編集装置の制御方法であって、ユーザを被写体として撮影した撮影画像またはその編集画像から、上記ユーザが上記画像管理サービスの会員であるか否かを認証するための特徴量を抽出する特徴量抽出ステップと、上記特徴量抽出ステップで抽出した上記特徴量と、予め登録された上記認証に用いられる画像認証情報と、が合致するか否かを判定した結果を、上記認証の結果として取得する認証結果取得ステップと、を含むことを特徴とする。
【００１１】
上記構成または方法によれば、写真撮影編集装置は、ユーザを被写体として撮影した撮影画像またはその編集画像を用いて、そのユーザが画像管理サービスの会員であるか否かを認証（ユーザ認証）した結果を得ることができる。これにより、写真撮影編集装置は、ユーザに、会員ＩＤやパスワードを入力させることなく、ユーザ認証を行うことができる。換言すると、ユーザは、写真撮影編集装置を用いて自己の撮影画像を撮影するだけで、画像管理サービスの利用（ログイン）を可能にするためのユーザ認証を行うことができる。
【００１２】
以上により、会員ＩＤやパスワードを忘れてしまった場合でも、煩雑な手続きを経ることなくログインが可能になる。
【００１３】
また、本発明の写真撮影編集装置は、上記特徴量抽出手段が抽出した上記特徴量を上記サーバに送信することにより、上記サーバに上記認証を要求する認証要求手段（認証要求部３１６Ｂ）を備え、上記認証結果取得手段は、上記特徴量と上記画像認証情報とが合致するか否かを判定した結果を上記サーバから受信しても良い。
【００１４】
上記構成によれば、写真撮影編集装置は、ユーザを被写体として撮影した撮影画像を用いて自機からサーバに対してユーザ認証を要求することができる。したがって、会員ＩＤやパスワードを忘れてしまった場合でも、煩雑な手続きを経ることなくログインが可能になる。
【００１５】
また、本発明の写真撮影編集装置は、上記特徴量と上記画像認証情報とが合致するか否かを判定し、その判定結果を、上記認証の結果として上記認証結果取得手段に送信する認証手段（認証部３１７）を備え、上記認証結果取得手段は、上記認証手段から上記判定結果を受信しても良い。
【００１６】
上記構成によれば、写真撮影編集装置は、ユーザを被写体として撮影した撮影画像を用いて自機においてユーザ認証を行う。これにより、サーバ側でユーザ認証を行う場合のように、サーバとの通信トラブルにより認証の終了まで長時間待たされる事態や、認証が異常終了するような事態を避けることができる。
【００１７】
また、本発明の写真撮影編集装置は、上記認証結果取得手段が取得した上記認証の結果が認証の成功を示すものである場合に、上記画像管理サービスに係る上記ユーザの会員情報を取得する会員情報取得手段（認証結果受信部３１６Ｃ）を備えていても良い。
【００１８】
上記構成によれば、長期間、画像管理サービスにアクセスしなかったなどの理由により、会員ＩＤやパスワードなどの会員情報を忘れてしまった場合でも、写真撮影編集装置を用いて自己の撮影画像を撮影するだけで、会員情報を取得することができる。従って、写真撮影編集装置を用いて自己の撮影画像を撮影するだけで、長期間、画像管理サービスにアクセスしなかったなどの理由により休眠してしまっているユーザのアカウント領域を再度、復活させることが可能になる。
【００１９】
また、本発明の写真撮影編集装置は、上記特徴量は、上記ユーザを被写体として撮影した撮影画像から抽出される、上記ユーザの身体の一部の特徴、および上記ユーザの姿勢の特徴に係る特徴量であり、上記画像認証情報は、上記ユーザの身体の一部の特徴、および上記ユーザの姿勢の特徴に係る情報であっても良い。
【００２０】
上記構成によれば、ユーザの身体の一部（例えば、顔）の特徴と、ユーザの姿勢（ポーズ）の特徴とを複合的に認証に利用するので、ユーザの身体の一部の特徴に係る認証の精度が多少低くても、高い認証精度を確保することができる。
【００２１】
また、本発明の写真撮影編集装置は、上記特徴量は、上記ユーザを被写体として撮影した撮影画像から抽出される、上記ユーザの身体の一部の特徴、および上記ユーザの動きの特徴に係る特徴量であり、上記画像認証情報は、上記ユーザの身体の一部の特徴、および上記ユーザの動きの特徴に係る情報であっても良い。
【００２２】
上記構成によれば、ユーザの身体の一部（例えば、顔）の特徴と、ユーザの動き（ジェスチャー）の特徴とを複合的に認証に利用するので、ユーザの身体の一部の特徴に係る認証の精度が多少低くても、高い認証精度を確保することができる。
【００２３】
また、本発明の写真撮影編集装置は、上記特徴量は、上記ユーザを被写体として撮影した撮影画像を編集した編集画像から抽出される、上記ユーザの身体の一部の特徴、および上記編集画像における落書きの特徴に係る特徴量であり、上記画像認証情報は、上記ユーザの身体の一部の特徴、および落書きの特徴に係る情報であっても良い。
【００２４】
上記構成によれば、ユーザの身体の一部（例えば、顔）の特徴と、ユーザによる落書き（例えば、花押やサインなど）の特徴とを複合的に認証に利用するので、ユーザの身体の一部の特徴に係る認証の精度が多少低くても、高い認証精度を確保することができる。
【００２５】
本発明の各態様に係る写真撮影編集装置は、コンピュータによって実現してもよく、この場合には、コンピュータを上記写真撮影編集装置が備える各手段として動作させることによって上記写真撮影編集装置をコンピュータにて実現させる写真撮影編集装置の制御プログラム、およびそれを記録したコンピュータ読み取り可能な記録媒体も、本発明の範疇に入る。
【発明の効果】
【００２６】
本発明によれば、会員ＩＤやパスワードを忘れてしまった場合でも、煩雑な手続きを経ることなくログインを行うことができるという効果を奏する。
【図面の簡単な説明】
【００２７】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第２実施形態に係る撮影画像管理システムにおけるユーザ認証に関する一連の処理の流れの一例を示すシーケンス図である。
【図１９】ユーザ認証の具体例を説明するための図である。
【図２０】ユーザ認証の具体例を説明するための図である。
【図２１】本発明の第３実施形態に係る写真シール作成装置に備えられる制御部の詳細な構成例を示す機能ブロック図である。
【図２２】本発明の第３実施形態に係る撮影画像管理システムにおけるユーザ認証に関する一連の処理の流れの一例を示すシーケンス図である。
【発明を実施するための形態】
【００２８】
〔実施形態１〕
本発明の第１実施形態について、図１〜図２２を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２９】
（撮影画像管理システム１０）
図２は、本発明の第１実施形態に係る撮影画像管理システム１０の構成を示す図である。図２に示すように、撮影画像管理システム１０は、写真シール作成装置（写真撮影編集装置）１、携帯端末６、および管理サーバ（サーバ）４を備えている。
【００３０】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３１】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３２】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３３】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３４】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３５】
画像提供サイトへの画像保存後、ユーザは、携帯端末６または所望の他の装置を用いて画像提供サイトにログインして、画像をダウンロードすることができる。
【００３６】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３７】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３８】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３９】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４０】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４１】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４２】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４３】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４５】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４６】
図３に示す編集部１２の構成を正面側の構成とすると、２組のユーザが同時に編集することができるように、編集部１２の正面側と背面側には編集制御に用いられる構成がそれぞれ設けられる。
【００４７】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４８】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４９】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５０】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５１】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５２】
（ユーザの移動）
写真シール作成ゲームの流れと、それに伴うユーザの移動について図５を参照して説明する。図５は、ユーザの移動について説明する図である。
【００５３】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５４】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５５】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５７】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５８】
画像の印刷が終了したとき、ユーザは、事後接客部１３に設けられた排出口からシール紙を受け取り、一連の写真シール作成ゲームを終えることになる。
【００５９】
（各部材の構成）
次に、写真シール作成装置１に備えられる各部材の構成について説明する。
【００６０】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６１】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６２】
正面パネル４１のほぼ中央には撮影・表示ユニット８１が設けられる。撮影・表示ユニット８１は、カメラ９１、正面ストロボ９２、およびタッチパネルモニタ９３から構成される。
【００６３】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６４】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６６】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６７】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６８】
足元ストロボ８６の右側には、ユーザがお金を投入する硬貨投入返却口８７が設けられる。
【００６９】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７０】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７１】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７２】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７３】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７４】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７５】
（事後接客部１３）
編集部１２の左側には事後接客部１３が設けられる。図９は、写真シール作成装置１に備えられる事後接客部１３の構成例を示す図である。
【００７６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８０】
スピーカ１６５は、事後接客時の案内音声、ＢＧＭ、効果音等の音を出力する。
【００８１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８２】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８４】
通信部２０３はインターネットなどのネットワークのインタフェースであり、制御部２０１による制御に従って外部の装置と通信を行う。
【００８５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８６】
ＲＯＭ２０６には、制御部２０１において実行されるプログラムおよびデータが記憶されている。ＲＡＭ２０７は、制御部２０１が処理するデータおよびプログラムを一時的に記憶する。
【００８７】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９０】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９２】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００９３】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９４】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９５】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９６】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９７】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９８】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９９】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１００】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、事後接客制御部３１５、および登録制御部３１６を備えている。
【０１０１】
通信制御部３１１は、通信部２０３による外部の装置との通信を制御する。
【０１０２】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。また、撮影制御部３１２は、後述するユーザ認証を行う場合、カメラ９１を動作させて認証用画像を撮影させる制御を行っても良い。また、以下で説明する落書きの特徴を用いた認証などでは、別途タッチ操作可能なタブレット画面（例えば、後述する各種モニタ）で認証を行っても良い。なお、撮影制御部３１２は、画像が撮影された日時に関する日時情報を生成することもできる。
【０１０３】
編集制御部３１３は、編集部１２Ａおよび編集部１２Ｂによる画像に対する落書き編集等、写真シール作成ゲームにおけるユーザの編集制御に関する処理を制御する。
【０１０４】
印刷制御部３１４は、印刷部２１１によるシール紙の印刷等、写真シール作成ゲームにおけるユーザの印刷制御に関する処理を制御する。
【０１０５】
事後接客制御部３１５は、事後接客部１３による、編集作業を終了したユーザグループを接客する処理等、写真シール作成ゲームにおける事後接客に関する処理を制御する。
【０１０６】
登録制御部３１６は、画像提供サイトの会員登録に係る処理を行う他、ユーザ認証の工程に係る処理を制御する。本明細書においてユーザ認証とは、ユーザが画像提供サイトの会員であるか否かを判別するための認証（または、ユーザが画像管理サイトにログインする資格を有しているか否かを判別するための認証）を意味する。なお、以下の説明では、会員登録の際に、後述する画像認証情報が生成され、この画像認証情報が、管理サーバ４の会員データベース４２２のユーザのアカウント領域（会員固有のデータを保存する記憶領域、以下、単に「アカウント領域」という）に保存されているものとして説明する。
【０１０７】
ユーザ認証を行う場合、ユーザの操作により、撮影制御部３１２は、カメラ９１を介して認証用画像を撮影し、撮影した認証用画像を登録制御部３１６に送信する。次に、登録制御部３１６は、通信部２０３および通信制御部３１１を介して、管理サーバ４にユーザ認証を要求し、認証結果を取得する。登録制御部３１６は、さらに詳しくは、特徴量抽出部（特徴量抽出手段）３１６Ａ、認証要求部（認証要求手段）３１６Ｂ、および認証結果受信部（認証結果取得手段，会員情報取得手段）３１６Ｃを含む。
【０１０８】
特徴量抽出部３１６Ａは、認証用画像から特徴量を抽出し、抽出した特徴量を、認証要求部３１６Ｂに送信する。ここで、「特徴量」とは、ユーザの身体の一部（具体的には、顔部位、目の虹彩、手のひら、指の指紋など）、ユーザの姿勢（ポーズ）、ユーザの動き（ジェスチャー）、または編集画像における落書き（例えば、花押またはサイン）などから抽出された、当該ユーザを特定するための情報である。
【０１０９】
認証要求部３１６Ｂは、特徴量抽出部３１６Ａが抽出した特徴量と、ユーザ認証の要求とを、通信制御部３１１および通信部２０３を介して管理サーバ４に送信する。
【０１１０】
認証結果受信部３１６Ｃは、通信制御部３１１および通信部２０３を介して、管理サーバ４から認証結果（認証の成否を示す通知）を受信する。また、認証結果受信部３１６Ｃは、管理サーバ４でのユーザ認証が成功した場合、認証したユーザのユーザ特定情報を含む会員情報を受信する。ユーザ特定情報および会員情報については、後で詳述する。
【０１１１】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１２】
なお、管理サーバ４は、記憶部４０２の会員データベース４２２に格納された会員情報（詳しくは後述する）を写真シール作成装置１に定期的に送信してもよい（写真シール作成装置１が、会員情報を定期的にダウンロードしてもよい）。この場合、管理サーバ４と写真シール作成装置１とは、通信負荷が比較的少ない午前中や夜間に通信を行い、会員情報を送受信することが望ましい。
【０１１３】
（制御部４０１の詳細）
図１に示すように、制御部４０１は、通信制御部４１１、メール作成部４１２、ウェブページ作成部４１３、画像管理部４１４、および認証部（認証手段）４１５を備えている。
【０１１４】
（通信制御部４１１）
通信制御部４１１は、通信部４０３による通信を制御する。
【０１１５】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１６】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１１７】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１１８】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１１９】
（認証部４１５）
認証部４１５は、写真シール作成装置１からユーザ認証の要求を受け付け、ユーザ認証を行うものである。認証部４１５は、写真シール作成装置１が抽出した特徴量を、通信部４０３および通信制御部４１１を介して受信する。認証部４１５は、さらに詳しくは、照合部４１５Ａを含む。
【０１２０】
照合部４１５Ａは、会員データベース４２２に保存されている、ユーザの画像認証情報と、受信した特徴量とを照合する。
【０１２１】
ここで、特徴量と画像認証情報とが合致する場合、管理サーバ４は、ユーザ認証が成功した旨（および当該ユーザの会員情報）を制御部２０１の登録制御部３１６（認証結果受信部３１６Ｃ）に送信する。一方、特徴量と画像認証情報とが合致しない場合、管理サーバ４は、ユーザ認証が失敗した旨を制御部２０１の登録制御部３１６（認証結果受信部３１６Ｃ）に通知する。なお、管理サーバ４は、ユーザ認証に成功した場合、写真シール作成装置１に対し、画像提供サイトへのアクセスを許可してもよい。そして、写真シール作成装置１は、後述する自機の各種モニタを用いて、画像提供サイトの各種データをユーザが閲覧および編集可能にしてもよい。
【０１２２】
なお、ユーザ認証が所定の回数、失敗した場合は、通常の会員ＩＤおよびパスワードによる認証に切り替えてもよい。または、複数の種類の認証が可能である場合、他の認証方法に認証方法を切り替える操作を行って、当該他の認証方法で再度認証操作を継続してもよい。さらに、それらの認証によっても、認証が成功しなかった場合は、画像を削除する旨を別途入力されるメールアドレスの宛て先にメールで通知した上で、会員アカウントが所定期間使用されていない場合はサーバに保存されている画像を削除してもよい。
【０１２３】
ここで、画像認証情報は、上述のように管理サーバ４において、ユーザ認証の基準として用いられる情報である。一方、特徴量は、上述のように画像認証情報と照合し、照合結果（認証の可否）を得るための情報である。したがって、特徴量は、画像認証情報との照合結果の判定精度が落ちない程度の精度の情報であればよく、画像認証情報に比べ、算出精度を落とした情報であっても構わない。
【０１２４】
写真シール作成装置１から受信した特徴量と、画像認証情報とが合致する場合、認証部４１５は、画像認証情報に対応するユーザ特定情報をキーとして、会員データベース４２２を探索することにより、上記ユーザ特定情報が示すユーザの、会員情報を読み出す。そして、認証部４１５は、認証成功を示す通知と、読み出した会員情報とを、通信制御部４１１および通信部４０３を介して写真シール作成装置１へと送信する。
【０１２５】
（記憶部４０２の詳細）
図１に示すように、記憶部４０２は、メールデータベース４２１、会員データベース４２２、ウェブページデータベース４２３、および画像データベース４２４を有している。
【０１２６】
（メールデータベース４２１）
メールデータベース４２１は、ユーザに送信するメールを作成するための各種データを格納している。
【０１２７】
（会員データベース４２２）
会員データベース４２２は、画像提供サイトの会員であるユーザに関する各種情報（会員情報）を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１２８】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１２９】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３０】
図示はしないが、記憶部４０２は、写真シール作成装置１から受信した画像などのデータを一時的に保存する一時保存データベースも有している。
【０１３１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３２】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１３３】
（制御部６０１の詳細）
図１２に示すように、制御部６０１は、通信制御部６１１、入力制御部６１２、および表示制御部６１３を備えている。
【０１３４】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３５】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。以下、（ｉ）携帯端末６を用いて画像提供サイトにアクセスし会員登録する方法と、（ｉｉ）写真シール作成装置１から会員登録を行う方法とについて説明する。
【０１３６】
≪１：携帯端末６で会員登録を行う≫
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３７】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３８】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１３９】
管理サーバ４の通信制御部４１１は、携帯端末６から送信されたユーザ特定情報を、通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４０】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４１】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４２】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４３】
≪２：写真シール作成装置１で会員登録を行う≫
本実施形態に係る写真シール作成装置１は、非会員のユーザに、自機から画像提供サイトへの会員登録を行わせてもよい。なお、以下の説明では、写真シール作成装置１は非会員のユーザの無料会員登録に係る処理を行うこととするが、写真シール作成装置１は、有料会員登録に必要な事項がユーザにより入力された場合は、当該ユーザの有料会員登録に係る処理を行ってもよい。
【０１４４】
本実施形態に係る写真シール作成装置１の登録制御部３１６は、上述したユーザ認証に係る工程に係る処理を制御する他、画像提供サイトの会員登録に係る処理を行う。登録制御部３１６は、写真シール作成ゲームの各工程の少なくともいずれかにおいて、制御部２０１が各種モニタから会員登録を示す入力信号を受信した場合に、会員登録に係る処理を制御する。
【０１４５】
なお、ここで言う「各種モニタ」とは、写真シール作成装置１においてユーザの入力指示を受け付ける部材を示す。すなわち、各種入力装置とは、タッチパネルモニタ９３、タブレット内蔵モニタ１３１、タブレット内蔵モニタ１６１のいずれかを示す。なお、上述した各ウェブページは、この各種モニタに表示させても良い。
【０１４６】
登録制御部３１６は、各種モニタに、会員登録に必要な事項（必要事項）を入力するための入力フォームを表示させ、ユーザにより当該入力フォームに必要事項が入力（および、当該入力が確定）されると、上記必要事項を管理サーバ４に送信する。なお、このとき、登録制御部３１６は、上記必要事項を記憶部２０２に格納してもよい。
【０１４７】
なお、「必要事項」とは、ユーザ特定情報を少なくとも含む情報である。必要事項の一例としては、ユーザの名前（ニックネーム）、パスワード、メールアドレス、性別、生年月日、居住地域（住所）などが挙げられる。
【０１４８】
（会員登録処理の流れ）
次に、写真シール作成装置１および管理サーバ４における会員登録処理の流れを説明する。なお、以下の説明では、事後接客の工程（後述する図１４のステップＳ５）において、ユーザにメールアドレスを入力させるときに会員登録を行う例を説明する。
【０１４９】
しかしながら、会員登録は、写真シール作成ゲームの開始から終了までの間（図１４のステップＳ１〜Ｓ６の間）に行われればいつ行われてもよい。例えば、写真シール作成装置１は、写真シール作成ゲームの写真撮影の工程（図１４のステップＳ２）において、ユーザに必要事項を入力させ、会員登録処理を行ってもよい。
【０１５０】
事後接客制御部３１５は、事後接客の工程が開始されると、会員登録を行うか否かを選択する画面をタブレット内蔵モニタ１６１に表示させる。ここで、ユーザにより、会員登録を行わない旨の選択がなされた場合、事後接客制御部３１５は、メールアドレスの入力画面、および、送信する画像の選択画面をタブレット内蔵モニタ１６１に表示させる。以降、事後接客制御部３１５は、上述した事後接客に関する制御を行う（図１４のステップＳ５）。より具体的には、事後接客制御部３１５は、画像（編集済みの画像を含む）の選択画面をタブレット内蔵モニタ１６１に表示させ、ユーザに、管理サーバ４に送信したい画像を選択させる。
【０１５１】
一方、会員登録を行う旨の選択がなされた場合、事後接客制御部３１５は登録制御部３１６に対し、会員登録処理の開始を通知する。登録制御部３１６は上記通知を受けて、タブレット内蔵モニタ１６１に、必要事項を入力するための入力フォームを表示させる。
【０１５２】
ここで、ユーザにより当該入力フォームに必要事項が入力され、確定されると、タブレット内蔵モニタ１６１は、入力された必要事項を登録制御部３１６へと送信する。登録制御部３１６は、上記必要事項を受信すると、これを通信制御部３１１および通信部２０３を介し、管理サーバ４へと送信する。
【０１５３】
管理サーバ４の通信制御部４１１は、会員登録の必要事項を写真シール作成装置１から受信すると、会員データベース４２２にユーザ用のアカウント領域（会員固有のデータを保存する記憶領域）を作成し、当該アカウント領域に、会員情報として上記必要事項を保存する。なお、このとき、管理サーバ４は、ユーザを一意に特定する情報（例えば会員ＩＤ）を生成し、当該必要事項に紐付けて記憶させてもよい。
【０１５４】
そして、管理サーバ４は、会員登録が完了した旨の通知を、写真シール作成装置１に送信する。写真シール作成装置１の登録制御部３１６は上記通知を受けると、当該通知を事後接客制御部３１５に送信する。事後接客制御部３１５は、会員登録が完了したことを示す画面をタブレット内蔵モニタ１６１に表示させる。
【０１５５】
なお、管理サーバ４は、会員登録の完了後、写真シール作成装置１に対し、画像提供サイトへのアクセスを許可してもよい。そして、写真シール作成装置１は、自機の各種モニタを用いて、画像提供サイトの各種データをユーザが閲覧および編集可能にしてもよい。
【０１５６】
また、写真シール作成装置１は、会員登録時にユーザにより入力された必要事項（会員情報）を、写真シール作成ゲームの以後の工程（例えば、事後接客の工程および印刷工程）のサービス提供に利用してもよい。
【０１５７】
上記処理により、写真シール作成装置１は、写真シール作成ゲームを行う間に、非会員のユーザに自機から会員登録を行わせることができる。これにより、写真シール作成装置１は、写真シール作成ゲームと別個に会員登録を行うというユーザの手間を省くことができる。また、写真シール作成装置１から画像提供サイトにログインすることができる。
【０１５８】
≪３：会員登録時に画像認証情報を登録する≫
また、本実施形態に係る写真シール作成装置１は、会員登録の際に、カメラ９１により、画像認証に係る情報（画像認証情報）を取得し、ユーザにより入力された必要事項とともに、当該画像認証情報を管理サーバ４へと送信しても良い。また、写真シール作成装置１は、カメラ９１で撮影した撮影画像を編集制御部３１３による制御により編集する場合、会員登録の際に、編集制御部３１３から受け取った編集後の編集画像から画像認証情報を取得し、ユーザにより入力された必要事項とともに、当該画像認証情報を管理サーバ４へと送信しても良い。具体的には、顔認証用の画像データに係る画像認証情報をゲームにより取得される撮影画像から生成しても良い。また、画像認証情報を生成するため、ジェスチャーやポーズ、落書きなどの撮影画像を別途取得してもよい。さらに、ジェスチャーやポーズ登録用の処理を撮影時に行ってもよいし、撮影画像の編集時に、認識用の落書き（タッチ操作やタブレット内蔵モニタにて認識される所定の軌跡のペン画像）を登録してもよい。事後接客部１３にて、撮像手段やタッチパネルモニタなどを備え、ユーザの各種特徴量を個別に登録保存してもよい。
【０１５９】
また、本実施形態に係る管理サーバ４は、上記画像認証情報を会員情報として会員データベース４２２におけるユーザのアカウント領域に保存する。
【０１６０】
ここで、画像認証情報とは、画像解析によりユーザを特定するための、当該ユーザ固有の身体の一部（例えば、顔）、ユーザ固有の姿勢（ポーズ）、ユーザ固有の動き（ジェスチャー）、または、ユーザ固有の落書き（例えば、花押やサインなど）の特徴に係る情報である。画像認証情報の具体例としては、ユーザの顔認識を行うための情報（顔のパーツの位置関係、大きさ、肌色など）や、ユーザの目認証を行うための情報（虹彩など）や、ユーザの指紋認証を行うための情報が挙げられる。また、その他、ユーザの姿勢（ポーズ）の認識を行うための情報（手の構えなど）や、ユーザの動き（ジェスチャー）の認識を行うための情報（手振り、身振りなど）を例示することができる。
【０１６１】
本実施形態の場合、カメラ９１は、ユーザの身体の一部、ユーザの姿勢、または、ユーザの動きを静止画または動画として撮影することにより、画像認証情報を生成するための画像または動画（認証用画像）を撮影し、登録制御部３１６に送信する。なお、認証用画像は、未加工の（ユーザにより編集が行われていない）撮影画像であることが望ましいが、撮影画像を編集した編集画像であっても良い。この場合、編集制御部３１３は、後述する編集画像の編集を終了した場合、編集後の編集画像を、認証用画像として、登録制御部３１６の特徴量抽出部３１６に送信する。特徴量抽出部３１６は、編集画像を受信すると、この編集画像から特徴量を抽出する。例えば、特徴量抽出部３１６は、編集画像における落書き（例えば、花押やサインなど）の特徴に係る特徴量を抽出しても良い。また、特徴量抽出部３１６は、この編集画像から、上述したユーザ固有の、身体の一部、ユーザ固有の姿勢、または、ユーザ固有の動きの特徴に係る画像認証情報を生成しても良い。
【０１６２】
別途、会員情報の登録処理として、撮影部２１、編集部１２において、登録操作を受け付けてもよい。その際に、登録内容については、ユーザは確認でき、さらに、必要に応じて所定の回数、登録を受け付けるものとする。
【０１６３】
登録制御部３１６は、カメラ９１から、認証用画像を受信するか、編集制御部３１３から編集画像（認証用画像）を受信すると、当該画像を解析することにより、画像認証情報を生成する。そして、登録制御部３１６は、会員登録処理の際に、ユーザが入力した必要事項に上記画像認証情報を対応づけて管理サーバ４に送信する。管理サーバ４は、受信した画像認証情報を、上記必要事項とともに、会員情報として会員データベース４２２におけるユーザのアカウント領域に保存する。
【０１６４】
なお、登録制御部３１６は、ユーザが入力した必要事項とともに上記認証用画像を管理サーバ４に送信し、管理サーバ４にて画像認証情報の生成を行わせてもよい。
【０１６５】
また、写真シール作成装置１は、すでに会員登録しているが、画像認証情報を登録していないユーザについても、認証用画像の撮影、画像認証情報の生成および管理サーバ４への送信を行ってもよい。これにより、携帯端末６から画像提供サイトの会員登録を行ったユーザであっても、画像認証情報を生成し、管理サーバ４（会員データベース４２２）に登録することができる。
【０１６６】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１６７】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１６８】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１６９】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１７０】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１７１】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１７２】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１７３】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１７４】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１７５】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１７６】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１７７】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１７８】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１７９】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１８０】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１８１】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１８２】
通信制御部４１１は、送信されたリクエストを、通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１８３】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１８４】
図１５（ｃ）に示すように、ウェブページ１１０７は、一つのサムネイル画像１１０４、および、全ての画像を保存するためのリンク画像１１０８を含んでいる。
【０１８５】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１８６】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１８７】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１８８】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１８９】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１９０】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。
【０１９１】
なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１９２】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１９３】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合、図１３の（ｄ）に示すような、ユーザの会員ＩＤおよびパスワードを入力するためのログイン処理ページ１０５１を取得してもよい。この場合には、管理サーバ４は、ログイン処理ページ１０５１において会員ＩＤおよびパスワードの入力を受け付ければよい。具体的には、ユーザは、ＩＤ入力エリア１０５２に会員ＩＤを入力し、パスワード入力エリア１０５３にパスワードを入力する。なお、詳細は後述するが、ユーザは、会員ＩＤまたはパスワードを忘れた場合には、ＩＤ・パスワード忘れボタン１０５４を選択して、後述する所定の手続きを経ることで、会員ＩＤまたはパスワードの入力を行うことなく、画像提供サイトへログインできるようにしても良い。
【０１９４】
管理サーバ４の通信制御部４１１は、上述したログインの要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１９５】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１９６】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１９７】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１９８】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１９９】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０２００】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０２０１】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０２０２】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０２０３】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０２０４】
携帯端末６の通信制御部６１１は、通信部６０３を通じて、送信された画像を受信し、記憶部６０２に保存する（ステップＳ３２）。以上により、携帯端末６への画像保存処理が完了する。
【０２０５】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（または、案内メールに含まれるＵＲＬ）の示すウェブページにアクセスすると共に、ユーザによるシールＩＤの入力操作を受け付けることにより、画像取得用ページにアクセスする。
【０２０６】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０２０７】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０２０８】
〔実施形態２〕
また、写真シール作成装置１は、過去に一度会員登録（および画像認証情報の登録）を済ませたユーザについては、カメラ９１により、ログイン用に認証用画像を撮影し（ログイン用画像を撮影し）、当該ログイン用画像（またはその編集画像）から生成した特徴量を用いてユーザ認証を行ってもよい。これにより、ユーザは、長期間、画像提供サイトにアクセスしていなかったなどの理由により会員ＩＤまたはパスワードを忘れた場合でも、後述する所定の手続きを経ることで、会員ＩＤまたはパスワードの入力を行うことなく、画像提供サイトへログインすることができる。また、このように、会員ＩＤまたはパスワードの入力を行うことなく、画像提供サイトへログインすることができることにより、会員ＩＤまたはパスワードを忘れたユーザやメールアドレスを変更したユーザに再度、写真シール作成装置１で写真を撮影してもらうように誘導することができる。以下、このように、ログイン用画像を撮影し、当該ログイン用画像から生成した特徴量を用いてユーザ認証を行う形態を実施形態２として説明する。
【０２０９】
ここで、特徴量は、上述した画像認証情報と同様の手法で生成することができる。また、「ログイン用画像」も認証用画像と同様、未加工の（ユーザにより編集が行われていない）撮影画像であることが望ましいが、撮影画像を編集した編集画像であっても良い。
【０２１０】
より詳しくは、登録制御部３１６は、カメラ９１からログイン用画像を受信するか、編集制御部３１２から、上記ログイン用画像の編集画像を受信すると、特徴量抽出部３１６Ａが画像認証情報を生成する方法と同様の方法で特徴量を生成し、管理サーバ４に送信する。そして、管理サーバ４は、管理サーバ４において保存している、ユーザの画像認証情報と、受信した特徴量とを照合する。
【０２１１】
ここで、特徴量と画像認証情報とが合致する場合、管理サーバ４は、ユーザ認証が成功した旨（および当該ユーザの会員情報）を認証結果受信部３１６Ｃに送信する。一方、特徴量と画像認証情報とが合致しない場合、管理サーバ４は、ユーザ認証が失敗した旨を認証結果受信部３１６Ｃに通知する。なお、管理サーバ４は、ユーザ認証に成功した場合、写真シール作成装置１に対し、画像提供サイトへのアクセスを許可しても良い（画像提供サイトへのログインを許可しても良い）。これにより、ユーザは、写真シール作成装置１の各種モニタを用いて、画像提供サイトの各種データを閲覧および編集することが可能になる。
【０２１２】
ここで、画像認証情報は、上述のように管理サーバ４において、ユーザ認証の基準として用いられる情報である。一方、特徴量は、上述のように画像認証情報と照合し、照合結果（認証の可否）を得るための情報である。したがって、特徴量は、画像認証情報との照合結果の判定精度が落ちない程度の精度の情報であればよく、画像認証情報に比べ、算出精度を落とした情報であっても構わない。
【０２１３】
以上の処理により、写真シール作成装置１はユーザに、自機からユーザ認証（画像提供サイトへのログイン）をさせることができる。ここで、上記特徴量を用いたユーザ認証では、ユーザはログイン用画像を撮影するだけで、ユーザ認証を行うことができる。すなわち、ユーザは、画像提供サイトへの事前のログイン、または、写真シール作成装置１における必要事項の入力を行わずとも、ユーザ認証および画像提供サイトへのログインを行うことができる。したがって、例えば会員ＩＤやパスワードを忘れたユーザであっても、ユーザ認証および画像提供サイトへのログインが可能になる。
【０２１４】
また、写真シール作成装置１は、ユーザにログイン用画像の撮影を行わせるだけで、当該ログイン用画像からユーザ認証を行うことにより会員情報を得ることができる。これにより、ユーザは、過去に登録したメールアドレスや、会員ＩＤおよびパスワードなどの会員情報を再び利用する（復活させる）ことが可能になる。そして、写真シール作成装置１は、写真シール作成ゲームの各工程（例えば、写真撮影、編集、事後接客の工程など）において、得られた会員情報に応じたサービスを提供することができる。
【０２１５】
図１８は、ユーザが会員ＩＤまたはパスワードを忘れた場合におけるログイン処理の流れを示すシーケンス図である。
【０２１６】
まず、ユーザは、写真シール作成装置１の上記各種モニタを用いて画像提供サイトにアクセスする。この結果、図１３の（ａ）に示すような画像提供サイトのトップページ１００１が上記各種モニタに表示される。トップページ１００１において、リンク画像１００２が選択された場合、図１３の（ｄ）に示すログイン処理ページ１０５１が上記各種モニタに表示される。ここでは、ユーザは、会員ＩＤまたはパスワードを忘れたため、ＩＤ・パスワード忘れボタン１０５４を選択する。ＩＤ・パスワード忘れボタン１０５４が選択されたことは、登録制御部３１６に通知される。登録制御部３１６は、上記各種モニタに「認証用画像を撮影して下さい」とのコメントを表示させ、ユーザにログイン用画像の撮影を促す。
【０２１７】
次に、ユーザの操作により、撮影制御部３１２は、カメラ９１を介してログイン用画像（認証用画像）を撮影し、撮影したログイン用画像を登録制御部３１６の特徴量抽出部３１６Ａに送信する（ステップＳ１０１）。なお、ログイン用画像に対して編集を行う場合には、ユーザの操作により、編集制御部３１３は、編集後の編集画像をログイン用画像として、登録制御部３１６の特徴量抽出部３１６Ａに送信しても良い。
【０２１８】
特徴量抽出部３１６Ａは、受信したログイン用画像から特徴量を抽出し、抽出した特徴量を、認証要求部３１６Ｂに送信する（ステップＳ１０２：特徴量抽出ステップ）。
【０２１９】
認証要求部３１６Ｂは、特徴量抽出部３１６Ａが抽出した特徴量と、ユーザ認証の要求とを、通信制御部３１１および通信部２０３を介して管理サーバ４に送信する（ステップ１０３）。
【０２２０】
管理サーバ４の認証部４１５は、写真シール作成装置１からユーザ認証の要求を受け付け、ユーザ認証を行う。認証部４１５は、写真シール作成装置１が抽出した特徴量を、通信部４０３および通信制御部４１１を介して受信する（ステップＳ１０４）。認証部４１５の照合部４１５Ａは、会員データベース４２２に保存されている、ユーザの画像認証情報と、受信した特徴量とを照合する（ステップＳ１０５）。
【０２２１】
ここで、特徴量と画像認証情報とが合致する場合、管理サーバ４は、ユーザ認証が成功した旨〔および当該ユーザの会員情報（会員トップページ１０３１を含む）〕を制御部２０１の登録制御部３１６（認証結果受信部３１６Ｃ）に送信する（ステップＳ１０６：認証結果取得ステップ）。具体的には、ユーザ認証が成功した場合、管理サーバ４は、会員データベース４２２から対応する会員ＩＤおよびパスワードを読み出して、ウェブページ作成部４１３に出力すると共に、会員トップページ１０３１の作成をウェブページ作成部４１３に指示する。ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７の（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、会員データベース４２２から会員情報を読出し、この会員情報とともに、通信部４０３を通じて会員トップページ１０３１を写真シール作成装置１に送信する。
【０２２２】
一方、特徴量と画像認証情報とが合致しない場合、管理サーバ４は、ユーザ認証が失敗した旨を制御部２０１の登録制御部３１６（認証結果受信部３１６Ｃ）に通知する（ステップＳ１０８）。
【０２２３】
認証結果受信部３１６Ｃは、通信制御部３１１および通信部２０３を介して、管理サーバ４から認証結果（認証の成否を示す通知）を受信する（ステップＳ１０７：認証結果取得ステップ）。また、認証結果受信部３１６Ｃは、管理サーバ４でのユーザ認証が成功した場合、認証したユーザのユーザ特定情報を含む会員情報（会員トップページ１０３１を含む）を受信し、受信した会員情報を記憶部２０２に一時的に記録する。
【０２２４】
ユーザ認証が成功した場合、登録制御部３１６は、上記各種モニタに会員トップページ１０３２〔図１７の（ｂ）参照〕を記憶部２０２から読み出して表示させる（ステップＳ１１０）。一方、ユーザ認証が失敗した場合は、処理を終了し、エンドとなる。
【０２２５】
なお、ステップＳ１１０の後の処理は、図１６に示すステップＳ２５〜ステップＳ３２までの処理と同様の処理を写真シール作成装置１と管理サーバ４との間にて行えば良いため、ここでは説明を省略する。
【０２２６】
また、以上の説明では、各ウェブページを、写真シール作成装置１の上記各種モニタに表示させながら、写真シール作成装置１から画像提供サイトへログインする形態について説明した。しかしながら、写真シール作成装置１と携帯端末６とを連動させることにより、各ウェブページを携帯端末６の表示部６０５に表示させながら、写真シール作成装置１でログイン用画像を撮影してログイン認証を行い、認証が成功した場合に携帯端末６から画像提供サイトへのログインができるようにしても良い。これにより、写真シール作成装置１が画像提供サイトの各ウェブページを表示させる機能を持っていないような場合でも、上述したログイン認証を実現することが可能になる。
【０２２７】
上述した形態によれば、写真シール作成装置１は、ユーザを被写体として撮影した撮影画像またはその編集画像を用いて、そのユーザが画像提供サイトの会員であるか否かを認証した結果を得ることができる。これにより、写真シール作成装置１は、ユーザに、会員ＩＤやパスワードを入力させることなく、ユーザ認証を行うことができる。換言すると、ユーザは、写真シール作成装置１を用いて自己の撮影画像を撮影するだけで、画像提供サイトの利用（ログイン）を可能にするためのユーザ認証を行うことができる。
【０２２８】
以上により、会員ＩＤやパスワードを忘れてしまった場合でも、煩雑な手続きを経ることなくログインが可能になる。
【０２２９】
（ユーザ認証の形態）
次に、図１９および図２０に基づき、様々なユーザ認証の形態について説明する。図１９および図２０は、ユーザ認証の具体例を説明するための図である。図１９の（ａ）は、ユーザの身体の一部（例えば、顔）と、ユーザの姿勢（ポーズ）との組合せでユーザ認証を行う形態の一例を示す。同図では、ユーザがいわゆるＶサインのポーズをとって、認証用画像を撮影している様子を示している。このように、身体の一部による認証（例えば、顔認証）と、ユーザの姿勢（ポーズ）による認証とを複合的に組合せてユーザ認証を行っても良い。具体的には、肌色認識を行い、肌色領域の一部が、登録されている特徴量を示すポーズデータの特徴と形状的に一致するかによって認証を行う。
【０２３０】
次に、図１９の（ｂ）は、指先で宙にＺの文字を描くユーザの動き（ジェスチャー）を示している。このように、上述した身体の一部による認証と、このユーザの動きによる認証とを組合せて複合的にユーザ認証を行っても良い。具体的には、所定の時間で、動画像から変化のある部分を抽出し、その変化の特徴を用いて認証を行う。
【０２３１】
また、図１９の（ｃ）は、ユーザの画像と、ユーザ特有のサイン（落書き）と、が含まれている認証用画像の例を示している。同図では、ユーザ特有のサインとして、丸を書いて、その丸の中に、「、（テン）」をうったサインＳが示されている。
【０２３２】
このように、上述した身体の一部による認証と、ユーザ特有のサイン（落書き）とを複合的に組合せてユーザ認証を行っても良い。
【０２３３】
以上のように身体の一部による認証と、別の認証方法と、を複合的に組合せることにより、身体の一部による認証の精度があまり高くなくてもユーザ認証の成功率を高めることができる。
【０２３４】
次に、図２０の（ａ）は、写真シール作成装置１にて照明条件を整えて（フラッシュをオフにして）虹彩を撮影した認証用の虹彩画像を示している。このようにして撮影により得られた虹彩画像から画像認証情報を生成し、管理サーバ４の会員データベース４２２に登録しても良い。
【０２３５】
その後、図２０の（ｂ）に示すように携帯端末６で撮影した虹彩画像から特徴量を抽出し、管理サーバ４に送信して、この特徴量と、上記画像認証情報と、を比較してユーザ認証を行っても良い。これにより、携帯端末６で手軽に撮影した虹彩画像を用いてユーザ認証を行うことが可能になる。
【０２３６】
次に、図２０の（ｃ）は、写真シール作成装置１にてキャッチライトを用いて虹彩を撮影した認証用の虹彩画像を示している。キャッチライトを用いた撮影では、同図に示すように、目にきらめき感を付与することができるが、きらめき部分の画像は認証に使用できないため、キャッチライトを用いた撮影による虹彩画像では、認証精度が低下してしまうという問題点がある。しかしながら、一般に写真シール作成装置毎に、キャッチライトによる照明効果は異なっているため、同じ写真シール作成装置であれば、キャッチライトを用いた撮影による虹彩画像によるユーザ認証も可能である。
【０２３７】
〔実施形態３〕
次に、写真シール作成装置１は、管理サーバ４とリアルタイムに通信を行うのではなく、管理サーバ４から認証に必要な情報を予めダウンロードしておいてもよい。そして、写真シール作成装置１は、上記ダウンロードしておいた情報を用いて、写真シール作成装置１内でユーザ認証を行ってもよい。実施形態３では、写真シール作成装置１内でユーザ認証を行う形態について説明する。
【０２３８】
具体的には、写真シール作成装置１は、例えば、通信負荷が比較的少ない午前中や夜間などに管理サーバ４と通信を行い、上述した会員データベース４２２に格納された各ユーザの会員情報を管理サーバ４からダウンロードし記憶部２０２に格納しておく。これによりサーバ側でログイン認証を行う場合のように、サーバとの通信トラブルにより認証の終了まで長時間待たされる事態や、認証が異常終了するような事態を避けることができる。図２１は、実施形態３に係る写真シール作成装置１に備えられる制御部２０１Ａの詳細な構成例を示す機能ブロック図である。
【０２３９】
（登録制御部３１６）
ユーザ認証を行う場合、撮影制御部３１２は、カメラ９１を介して認証用画像を撮影し、撮影した認証用画像を登録制御部３１６に送信する。但し、ここでは、上述したように、写真シール作成装置１は、会員登録の際に生成された画像認証情報を、管理サーバ４からダウンロードし、記憶部２０２のユーザのアカウント領域に保存しているものとして説明する。登録制御部３１６は、認証部３１７にユーザ認証を要求し、認証結果を取得する。より具体的には、登録制御部３１６の特徴量抽出部（特徴量抽出手段）３１６Ａは、認証用画像から特徴量を抽出し、抽出した特徴量を、認証要求部（認証要求手段）３１６Ｂに送信する。認証要求部３１６Ｂは、特徴量抽出部３１６Ａが抽出した特徴量と、ユーザ認証の要求とを、認証部３１７に送信する。
【０２４０】
認証結果受信部（認証結果取得手段，会員情報取得手段）３１６Ｃは、認証部３１７から認証結果（認証の成否を示す通知）を取得する。また、認証結果受信部３１６Ｃは、認証部３１７でのユーザ認証が成功した場合、認証したユーザのユーザ特定情報を含む会員情報を記憶部２０２から取得し、上記各種モニタに表示する。
【０２４１】
（認証部３１７）
認証部３１７は、認証要求部３１６Ｂからユーザ認証の要求を受け付け、ユーザ認証を行うものである。認証部３１７は、認証要求部３１６Ｂから特徴量を受け取る。認証部３１７は、さらに詳しくは、照合部３１７Ａを含む。
【０２４２】
照合部３１７Ａは、記憶部２０２に保存されている、ユーザの画像認証情報と、取得した特徴量とを照合する。
【０２４３】
ここで、特徴量と画像認証情報とが合致する場合、認証部３１７は、ユーザ認証が成功した旨を登録制御部３１６（認証結果受信部３１６Ｃ）に送信する。一方、特徴量と画像認証情報とが合致しない場合、認証部３１７は、ユーザ認証が失敗した旨を登録制御部３１６（認証結果受信部３１６Ｃ）に通知する。なお、登録制御部（ログイン要求手段）３１６は、ユーザ認証に成功した場合、管理サーバ４に対し、会員ＩＤおよびパスワードを記憶部２０２から読出して送信するとともに、画像提供サイトへのログインを要求する。
【０２４４】
管理サーバ４の通信制御部４１１は、上記のログインの要求を、通信部４０３を通じて受け付ける。次に通信制御部４１１は、受信した会員ＩＤおよびパスワードをウェブページ作成部４１３に出力すると共に、会員トップページ１０３１の作成をウェブページ作成部４１３に指示する。ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７の（ｂ）に示すような会員トップページ１０３１を生成し、通信制御部４１１に出力する。通信制御部４１１は、通信部４０３を通じて会員トップページ１０３１を写真シール作成装置１に送信する。
【０２４５】
写真シール作成装置１は、通信部２０３を通じて、会員トップページ１０３１を受信する。写真シール作成装置１は、受信した会員トップページ１０３１を上記各種モニタに表示する。これにより、写真シール作成装置１は、上記各種モニタを用いて、画像提供サイトの各種データを閲覧および編集することが可能になる。
【０２４６】
認証要求部３１６Ｂから取得した特徴量と、画像認証情報とが合致する場合、認証部３１７は、画像認証情報に対応するユーザ特定情報をキーとして、記憶部２０２を探索することにより、上記ユーザ特定情報が示すユーザの、会員情報を読み出す。そして、認証部３１７は、読み出した会員情報を認証結果受信部３１６Ｃに送信する。登録制御部３１６は、認証結果受信部３１６Ｃが受信した会員情報を上記各種モニタに表示させる。
【０２４７】
次に、図２２は、ユーザが会員ＩＤまたはパスワードを忘れた場合におけるログイン処理の流れを示すシーケンス図である。
【０２４８】
まず、ユーザは、写真シール作成装置１の上記各種モニタを用いて画像提供サイトにアクセスする。この結果、図１３の（ａ）に示すような画像提供サイトのトップページ１００１が上記各種モニタに表示される。トップページ１００１において、リンク画像１００２が選択された場合、図１３の（ｄ）に示すログイン処理ページ１０５１が上記各種モニタに表示される。ここでは、ユーザは、会員ＩＤまたはパスワードを忘れたため、ＩＤ・パスワード忘れボタン１０５４を選択する。ＩＤ・パスワード忘れボタン１０５４が選択されたことは、登録制御部３１６に通知される。登録制御部３１６は、上記各種モニタに「認証用画像を撮影して下さい」とのコメントを表示させ、ユーザにログイン用画像の撮影を促す。
【０２４９】
次に、ユーザの操作により、撮影制御部３１２は、カメラ９１を介してログイン用画像（認証用画像）を撮影し、撮影したログイン用画像を登録制御部３１６の特徴量抽出部３１６Ａに送信する（ステップＳ１０１）。なお、ログイン用画像に対して編集を行う場合には、ユーザの操作により、編集制御部３１３は、編集後の編集画像をログイン用画像として、登録制御部３１６の特徴量抽出部３１６Ａに送信しても良い。
【０２５０】
特徴量抽出部３１６Ａは、受信したログイン用画像から特徴量を抽出し、抽出した特徴量を、認証要求部３１６Ｂに送信する（ステップＳ１０２：特徴量抽出ステップ）。
【０２５１】
認証要求部３１６Ｂは、特徴量抽出部３１６Ａが抽出した特徴量と、ユーザ認証の要求とを、認証部３１７に送信する（ステップＳ１０３）。
【０２５２】
認証部３１７は、認証要求部３１６Ｂからユーザ認証の要求を受け付け、ユーザ認証を行う。認証部３１７は、特徴量抽出部３１６Ａが抽出した特徴量を認証要求部３１６Ｂから取得する。認証部３１７の照合部３１７Ａは、記憶部２０２に保存されている、ユーザの画像認証情報と、取得した特徴量とを照合する（ステップＳ１１１）。
【０２５３】
ここで、特徴量と画像認証情報とが合致する場合、認証部３１７は、ユーザ認証が成功した旨を登録制御部３１６（認証結果受信部３１６Ｃ）に通知する（認証結果取得ステップ）。一方、特徴量と画像認証情報とが合致しない場合（ユーザ認証が失敗した場合）、認証部３１７は、ユーザ認証が失敗した旨を登録制御部３１６（認証結果受信部３１６Ｃ）に通知し（認証結果取得ステップ）、処理を終了して、エンドとなる。
【０２５４】
登録制御部３１６は、ユーザ認証に成功した場合、管理サーバ４に対し、会員ＩＤおよびパスワードを記憶部２０２から読出して送信するとともに、画像提供サイトへのログインを要求する（ステップＳ１１２）。
【０２５５】
管理サーバ４の通信制御部４１１は、上記のログインの要求を、通信部４０３を通じて受け付ける（ステップＳ１１３）。次に通信制御部４１１は、受信した会員ＩＤおよびパスワードをウェブページ作成部４１３に出力すると共に、会員トップページ１０３１の作成をウェブページ作成部４１３に指示する。ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７の（ｂ）に示すような会員トップページ１０３１を生成し、通信制御部４１１に出力する。通信制御部４１１は、通信部４０３を通じて会員トップページ１０３１を写真シール作成装置１に送信する（ステップＳ１１４）。
【０２５６】
写真シール作成装置１は、通信部２０３を通じて、会員トップページ１０３１を受信する。写真シール作成装置１は、受信した会員トップページ１０３１を上記各種モニタに表示する（ステップＳ１１５）。
【０２５７】
なお、ステップＳ１１５の後の処理は、例えば、図１６に示すステップＳ２５〜ステップＳ３２までの処理と同様の処理を写真シール作成装置１と管理サーバ４との間にて行えば良いため、ここでは説明を省略する。
【０２５８】
また、以上の説明では、各ウェブページを、写真シール作成装置１の上記各種モニタに表示させながら、写真シール作成装置１から画像提供サイトへログインする形態について説明した。しかしながら、写真シール作成装置１と携帯端末６とを連動させることにより、各ウェブページを携帯端末６の表示部６０５に表示させながら、写真シール作成装置１でログイン用画像を撮影してログイン認証を行い、認証が成功した場合に携帯端末６から画像提供サイトへのログインができるようにしても良い。また、写真シール作成装置１で、顔認証を行い、携帯端末６で落書きの認証を行わせるなどしてもよい。
【０２５９】
これにより、写真シール作成装置１が画像提供サイトの各ウェブページを表示させる機能を持っていないような場合でも、上述したログイン認証を実現することが可能になる。
【０２６０】
上述した形態によれば、写真シール作成装置１は、ユーザを被写体として撮影した撮影画像またはその編集画像を用いて、そのユーザが画像提供サイトの会員であるか否かを認証した結果を得ることができる。これにより、写真シール作成装置１は、ユーザに、会員ＩＤやパスワードを入力させることなく、ユーザ認証を行うことができる。換言すると、ユーザは、写真シール作成装置１を用いて自己の撮影画像を撮影するだけで、画像提供サイトの利用（ログイン）を可能にするためのユーザ認証を行うことができる。
【０２６１】
以上により、会員ＩＤやパスワードを忘れてしまった場合でも、煩雑な手続きを経ることなくログインが可能になる。
【０２６２】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２６３】
後者の場合、写真シール作成装置１、管理サーバ４、および携帯端末６は、各機能を実現するソフトウェアであるプログラム（制御プログラム）の命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２６５】
本発明は、写真シール作成装置において作成されたユーザの撮影画像を管理サーバに保存する撮影画像管理システムとして、幅広く利用することができる。
【符号の説明】
【０２６６】
１  写真シール作成装置（写真撮影編集装置）
４  管理サーバ（サーバ）
６  携帯端末
１１  撮影ユニット
１２  編集部
１３  事後接客部
２１  撮影部
９１  カメラ
２０１  制御部
３１１  通信制御部
３１２  撮影制御部
３１３  編集制御部
３１４  印刷制御部
３１５  事後接客制御部
３１６  登録制御部（ログイン要求手段）
３１６Ａ  特徴量抽出部（特徴量抽出手段）
３１６Ｂ  認証要求部（認証要求手段）
３１６Ｃ  認証結果受信部（認証結果取得手段，会員情報取得手段）
３１７  認証部（認証手段）
３１７Ａ  照合部
４０１  制御部
４０２  記憶部
４０３  通信部
４１１  通信制御部
４１２  メール作成部
４１３  ウェブページ作成部
４１４  画像管理部
４１５  認証部（認証手段）
４１５Ａ  照合部
４２２  会員データベース
６０１  制御部
６０２  記憶部
６０３  通信部
６０４  入力部
６０５  表示部
６１１  通信制御部
６１２  入力制御部
６１３  表示制御部
【図１】
2015184731.tif 000003
【図２】
2015184731.tif 000004
【図３】
2015184731.tif 000005
【図４】
2015184731.tif 000006
【図５】
2015184731.tif 000007
【図６】
2015184731.tif 000008
【図７】
2015184731.tif 000009
【図８】
2015184731.tif 000010
【図９】
2015184731.tif 000011
【図１０】
2015184731.tif 000012
【図１１】
2015184731.tif 000013
【図１２】
2015184731.tif 000014
【図１３】
2015184731.tif 000015
【図１４】
2015184731.tif 000016
【図１５】
2015184731.tif 000017
【図１６】
2015184731.tif 000018
【図１７】
2015184731.tif 000019
【図１８】
2015184731.tif 000020
【図１９】
2015184731.tif 000021
【図２０】
2015184731.tif 000022
【図２１】
2015184731.tif 000023
【図２２】
2015184731.tif 000024